(57)【要約】【課題】ユーザーが普段撮影している撮影条件を一時的に変更して撮影する場合に、電源を再投入した時点では通常の撮影パラメータで初期化されていることが望ましい。例えば画像サイズなどで通常Ｓサイズの画像を撮像しているが、特別な使用環境においてＬサイズに変更する場合である。このとき、撮影後再び画像サイズを元に戻すのはユーザーに煩雑なイメージを与えると共に、設定忘れによって不必要にＬサイズの画像を撮影したために記録媒体の容量が極端に減ってしまう、というような問題がある。そこで、本発明では撮影画像サイズ用撮影回数カウンタと撮影画像サイズ設定手段を持ち、撮影回数カウンタが最大の撮影画像サイズを電源投入時の初期値となるように不揮発性メモリに記憶する。【解決手段】少なくとも一つ以上の、撮影条件の設定の組み合わせによる撮影が可能な撮像装置において、各撮影条件の設定の組み合わせとその設定状態を併せて記憶する記憶手段と、前記記憶手段による設定状態に応じて撮像装置の撮影条件を変更するする変更手段を備えることを特徴とした撮像装置。【選択図】        図１
2006054641.tif 000002
【特許請求の範囲】
【請求項１】
少なくとも一つ以上の、撮影条件の設定の組み合わせによる撮影が可能な撮像装置において、
各撮影条件の設定の組み合わせとその設定状態を併せて記憶する記憶手段と、
前記記憶手段による設定状態に応じて撮像装置の撮影条件を変更するする変更手段、
を備えることを特徴とした撮像装置。
【請求項２】
少なくとも一つ以上の、撮影条件の設定の組み合わせによる撮影が可能な撮像装置において、
各撮影条件の設定の組み合わせとその設定状態を併せて記憶する記憶手段と、
前記記憶手段による設定状態に応じて撮像装置の撮影条件を変更するする変更手段、
を備えたアルゴリズムを有するソフトウェア及びそれを記憶した媒体。
【請求項３】
請求項１における前記設定状態は、少なくとも一つ以上の、撮影条件の設定の組み合わせで撮影した回数であることを特徴とする請求項１記載の撮像装置。
【請求項４】
請求項１における前記記憶手段は少なくとも一つ以上の、撮影条件の組み合わせの撮影回数を不揮発性、或いは揮発性のメモリに格納することを特徴とする請求項１記載の撮像装置。
【請求項５】
請求項１における前記変更手段は少なくとも一つ以上の、撮影条件の組み合わせで、前記記憶手段で記憶した撮影回数が最大の、撮影条件の設定の組み合わせに変更することを特徴とする請求項１記載の撮像装置。
【発明の詳細な説明】
【技術分野】
【０００１】
この発明は、少なくとも一つ以上の、撮影条件の設定の組み合わせによる撮影が可能な撮像装置に関する。
【背景技術】
【０００２】
従来の撮像装置ではユーザーの趣向に応じた様々な撮影条件、例えばシャッター速度や絞り値、または感度、デジタルカメラでは撮影した画像のサイズや圧縮率、を設定することができる。これらの撮影条件の設定値はいずれもユーザーが設定した時点で撮像装置に内蔵する不揮発性メモリに記憶し、一度電源を切って再投入する場合でも設定値を初期値として読み出し、撮影を行うことができる。このとき初期値として読み出しが可能な設定値はユーザーが起動前に最後に設定した値である。
【特許文献１】特開平１０−０４２１７５号公報
【発明の開示】
【発明が解決しようとする課題】
【０００３】
上記の状況において以下に説明するような不都合が生じる。ここで撮影条件の例として、Ｌ（Ｌａｒｇｅ），Ｍ（Ｍｅｄｉｕｍ），Ｓ（Ｓｍａｌｌ）の３種類の撮影画像のサイズを選択することが可能なデジタルカメラの例を挙げる。通常ユーザーが画像の記録媒体に対してより多くの画像を記録することを目標として画像サイズをＳに選択している場合を想定する。この場合時々ユーザーが特別な画像を撮影するためにＬサイズで記録する機会も存在する。このとき最後にＬサイズの設定で撮影を行い、電源を切ると、再起動時の画像サイズの初期値は“Ｌサイズ”になってしまう。これは従来の撮像装置では最後に設定した設定値を内蔵する不揮発性メモリに記憶する仕組みになっているからである。
【０００４】
ユーザーにとってみれば、特別な状況においてＬサイズの画像を１度だけ選択して撮影したいだけであり、電源を切って再起動する際には通常の撮影画像サイズ、つまりＳサイズでの撮影モードに戻っていることが好ましい。従来の撮像装置では再起動後、撮影画像サイズを“Ｌサイズ”から“Ｓサイズ”に変更し直すという操作をユーザーに強いることになるので、操作が煩雑なイメージを与えることになる。またユーザーが撮像装置の再起動時に以前撮影画像サイズを変更したことを忘れ、Ｌサイズのまま撮影を続けた場合に不必要にサイズの大きい画像を撮影して記録媒体の容量が極端に減ってしまう、という問題がある。
【０００５】
すなわちユーザーが通常の、撮影条件の設定の組み合わせで撮影することが多い場合に、特別な状況での撮影で撮影条件の設定を変更して電源を切ると、次の電源投入時にはその設定を戻す操作をユーザーに強いる、或いはユーザーがその設定を戻す操作を忘れたために通常意図した撮影条件とは異なる条件で撮影してしまう、という問題を生じる。このような問題を解決する方法として撮像装置には撮影条件の設定の組み合わせを記録するカスタムモードに常に設定して撮影する方法が存在する。しかしＡＵＴＯモード、プログラムモード、シャッター速度優先モード等、複数の撮影モードがあるのに対し、カスタムモードは上記撮影モードを含む設定であると同時に、カスタムモードの記録領域は限られているため、各モードにおける撮影条件の設定の組み合わせを最適化することができない。またカスタムモードの設定はユーザーの登録操作が必要である。以上のことからユーザーの撮影条件の設定状態に応じて、電源投入時に与える撮影条件の初期化データを自動的に最適化する手法が求められている。
【０００６】
特開２００１−１８６４０６号公報では過去の撮影条件の履歴をカスタムモードとして複数世代記憶しておき、ユーザーはカスタムモードに変更するだけで頻繁に使用する撮影条件を設定する提案がなされている。しかし、本発明においては過去の撮影条件そのものを記憶対象としていることに重点を置くのではなく、特定の撮影条件を使用した撮影回数を基にユーザーの趣向に合わせた撮像装置の撮影条件の初期設定を行うことに言及している。また画像サイズやＴｖ，Ａｖ等、個別の撮影条件の組み合わせも対象としており、上記の公知の発明においては言及されていない内容である。
【０００７】
本発明は以上の点を考慮してなされたものであり、本出願の発明の目的は、ユーザーの使用状況、設定状態を基に、少なくとも一つ以上の撮影条件の初期設定値を最適化する撮像装置を提案することである。
【課題を解決するための手段】
【０００８】
少なくとも一つ以上の、撮影条件の設定の組み合わせによる撮影が可能な撮像装置において、
各撮影条件の設定の組み合わせとその設定状態を併せて記憶する記憶手段と、
前記記憶手段による設定状態に応じて撮像装置の撮影条件を変更するする変更手段、
を備えることを特徴とする。
【０００９】
少なくとも一つ以上の、撮影条件の設定の組み合わせによる撮影が可能な撮像装置において、
各撮影条件の設定の組み合わせとその設定状態を併せて記憶する記憶手段と、
前記記憶手段による設定状態に応じて撮像装置の撮影条件を変更するする変更手段、
を備えたアルゴリズムを有するソフトウェア及びそれを記憶した媒体を備えていることを特徴とする。
【００１０】
前記設定状態は、少なくとも一つ以上の、撮影条件の設定の組み合わせで撮影した回数であることを特徴とする。
【００１１】
前記記憶手段は少なくとも一つ以上の、撮影条件の組み合わせの撮影回数を不揮発性、或いは揮発性のメモリに格納することを特徴とする。
【００１２】
前記変更手段は少なくとも一つ以上の、撮影条件の組み合わせで、前記記憶手段で記憶した撮影回数が最大の、撮影条件の設定の組み合わせに変更することを特徴とする。
【発明の効果】
【００１３】
請求項１によると少なくとも一つ以上の、撮影条件の設定の組み合わせによる撮影が可能な撮像装置において、各撮影条件の設定の組み合わせとその設定状態を併せて記憶し、その設定状態に応じて撮像装置の撮影条件を変更することによって、ユーザーが最も頻繁に使用する設定を初期値とした撮影開始を可能とし、一時的に撮影条件を変更したあとの再変更操作の煩雑さを削減することができる。
【００１４】
請求項２によると、請求項１記載のアルゴリズムを搭載することにより、他の撮像装置で上記機能を実現することができる。
【００１５】
請求項３によると、撮影条件の設定状態を撮影した累積回数とすることによりユーザーが撮影に最も使用する撮影条件を判定することができる。
【００１６】
請求項４によると、少なくとも一つ以上の、撮影条件の組み合わせの撮影回数を不揮発性、或いは揮発性のメモリに格納することによって、設定状態の記憶が可能となる。
【００１７】
請求項５によると、少なくとも一つ以上の、撮影条件の組み合わせで記憶した累積撮影回数が最大の、撮影条件に変更することによりユーザーが最も頻繁に使用する撮影条件で撮影を開始することができる。
【発明を実施するための最良の形態】
【００１８】
以下、この発明の実施例を図面と共に詳述する。
【実施例１】
【００１９】
本実施例ではデジタルカメラのプログラムモードにおいて撮影画像データサイズの初期設定値をその各設定値の累積撮影回数を基に設定する手法について説明する。
【００２０】
本実施例におけるデジタルカメラのシステム構成を図１に示す。ここで，１はデジタルカメラ全体、２は撮影光学系、３はレンズ、４はＣＣＤ、５はＣＤＳ／ＡＧＣ、６はＡ／Ｄコンバータ、７は信号処理装置Ａ、８はＶ−ドライブ、９はタイミングジェネレータ（以下ＴＧと略す）、１０は信号処理装置Ｂ、１１はデータバス、１２はＣＰＵバス、１３はＲＯＭ等の不揮発性メモリ、１４はＣＰＵ、１５は画像データの記録を行うコンパクトフラッシュ(登録商標)（以下ＣＦと略す）、１６は操作部材を持つユーザーインターフェース、１７はディスプレイコントローラ、１８はＶＲＡＭ、１９はＤＲＡＭ等の揮発性メモリ、２０は液晶モニタである。
【００２１】
さらに本発明において、撮影画像サイズ用撮影回数カウンタ２１、撮影画像サイズ設定手段２２をプログラムとして不揮発性メモリ内に含む。
【００２２】
まず、デジタルカメラ１の撮影表示に関する動作について説明する。以下の制御は全て揮発性メモリ１９のプログラムメモリ上にＣＦ１５或いは不揮発性メモリ１３からロードしたソフトウェアをＣＰＵ１４上で起動することで行う。まず撮影光学系２のレンズ３によってＣＣＤ４に結像した画像をＣＤＳ／ＡＧＣ５によって電気信号の振幅やゲインを調整する。さらにＡ／Ｄコンバータ６を用いてアナログ信号からデジタル信号に変換する。次にこのデジタル信号を、信号処理装置Ａ７を用いて、画像の色座標系上の値に変換する。ここで色座標系にはＹ−Ｃ座標系のほか、ＲＧＢ座標系等、様々な色空間の座標系が存在するが、本発明中では限定されるものではない。
【００２３】
信号処理装置Ａ７からはＣＣＤ４の撮影画素数に応じたデータが画素クロックに同期して出力する。すなわち図１において信号処理装置Ａ７から出力する制御線上の値は画素クロックであり、データ線上の値は実際に撮影光学系２から取得した実画像データとなる。さらに、同様に信号処理装置Ａ７の制御線上には画素クロックと同時にＣＣＤ４の撮影エリアのサイズに対応した制御信号を出力する。すなわち撮影エリアの１ラインが始まる度にＨＤの信号を、撮影エリアの１フィールドおきにＶＤの信号を出力する。
【００２４】
このようにして、撮影光学系２によって撮影して色変換した信号を信号処理装置Ａ７の発生する制御信号と同期して出力し、信号処理装置Ｂ１０に入力する。信号処理装置Ｂ１０は主に揮発性メモリ１９とのデータの読み書き、ＣＦ１５とのデータの読み書き、ディスプレイコントローラ１７の駆動、液晶モニタ２０画像表示用データのＶＲＡＭ１８への書き込み、ＣＰＵ１４からの信号の変換、撮影光学系への制御信号の送信、デジタルカメラ１外部への画像データの送信を制御する。信号処理装置Ｂ１０によって作成した画像データは静止画撮影の場合はＪＰＥＧ画像フォーマットに、動画撮影の場合はＭＰＥＧ画像フォーマットに、従った圧縮処理を行って記録データを生成し、ＣＦ１５に書き込み記録する。また、撮影時のプレビューや再生時に画像を液晶モニタ２０に表示するためには、画像データを、データバス１１を通じてＶＲＡＭ１８に書き込み、同時にＣＰＵバス１２を通じてディスプレイコントローラ１７を駆動する。ディスプレイコントローラ１７はＶＲＡＭ１８のデータを液晶モニタ２０に表示する。その他ユーザーインターフェース１６はユーザーからの撮影、再生、モード設定、液晶モニタ２０  ＯＮ／ＯＦＦ、ＣＦ１５カードの着脱を行う。以上のようにしてユーザーは画像の撮影、記録、再生を行うことができる。
【００２５】
次に撮影画像サイズの設定情報を説明する。図２に設定情報のテーブルを示す。但し、このテーブルは本システムで用いるデータ構造そのものではなく、特定の形態に限定されるものではない。撮影画像サイズはＬ（Ｌａｒｇｅ：１２８０＊１０２４），Ｍ（Ｍｅｄｉｕｍ：１０２４＊７６８），Ｓ（Ｓｍａｌｌ：６４０＊４８０）の３種類が存在し、ＡＵＴＯモード、プログラムモード、シャッター速度優先モード、絞り優先モード、マニュアルモードの各撮影モードに設定値を持つ。このテーブルは不揮発性メモリ１３に記憶する。電源投入時の撮影条件は図２のテーブルを不揮発性メモリ１３から読み出した値を初期値として与える。
【００２６】
次にユーザーによる撮影画像サイズの変更方法について説明する。図３にデジタルカメラ１の裏面の液晶モニタ２０に表示される撮影メニューの様子を示す。ここで２０１はデジタルカメラ、２０２はモード表示画面、２０３はモードダイヤル、２０４はシャッターボタン、２０５は光学ファインダ、２０６はスクロールボタン、２０７はメニューボタン、２０８はセットボタン、２０９は液晶ディスプレイである。図２の操作部材による入力は全て図１のユーザーインターフェース１６を通じて入力される。まず２０３のモードダイヤルはカメラの動作モードを決定するために用いる。ＡＵＴＯ、プログラム、マニュアル、シャッター速度優先、絞り優先等の撮影モードがある。ユーザーは２０９の液晶ディスプレイ上の撮影画像を見るか光学ファインダ２０５を覗きながらシャッターボタン２０４を押して撮像する。またメニューボタン２０７で撮影画像サイズ等の撮影設定を行うための画面を液晶ディスプレイ２０９に表示しスクロールボタン２０６で画像サイズ、圧縮率の設定項目と各項目のパラメータ設定を選択することができる。図３ではそのメニューを表示し、画像サイズの項を表示している状態である。ここでスクロールボタン２０６を押して所定のパラメータを選択し、セットボタン２０８を押下して決定する。
【００２７】
ところで一般ユーザーはデジタルカメラで撮影する画像に応じて撮影画像サイズは頻繁に変更することは少ない。つまり個人が装着可能なメモリ容量と想定する撮影画像枚数に応じて必要十分だと思われる画像サイズに一度設定すると、特別な用途がない限り変更しないことが多いからである。
【００２８】
しかし、一方で撮影画像サイズを変更して撮影したい特別な状況も発生する。例えば、通常画像サイズを小さくして撮影しているが、プリンタによる高精細出力したい被写体を撮影したい場合、或いは搭載する記録媒体の残量を考慮した場合に現在の設定よりもより小さいサイズで撮影したい場合、などである。このとき、一時的に撮影画像サイズを変更して撮影することになる。
【００２９】
さて、図３で設定した撮影画像サイズパラメータは従来のシステムでは一度揮発性メモリ１９に記憶し、システム終了までの間に不揮発性メモリ１３に記憶する。従って前述したように撮影終了後にシステムを終了すると、一時的に変更した撮影画像サイズが撮影画像サイズテーブルに設定され、再び電源を投入した場合には、その設定値が初期値となる。ユーザーは通常の設定で撮影するためには撮影メニューを操作して、その設定値を戻さなければならない。また、もしその設定値を戻すことを忘れた場合には通常ユーザーが意図している撮影条件とは異なる条件で撮影してしまうことになる。例えば、通常より画像サイズの設定が大きいまま撮影を継続したために、記録媒体の残量が予定より早く少なくなってしまった、や通常必要と考えている分解能に満たない粗い画像ばかりを撮影してしまった、等である。
【００３０】
以上のことから一時的に撮影画像サイズを変更するようなことがあっても、電源投入後の初期設定はユーザーが通常設定している撮影画像サイズであることが望ましい。
【００３１】
そこで、本発明において撮影画像サイズ用撮影回数カウンタ２１と撮影画像サイズ設定手段２２を備え、上記の要求を達成する。まず始めに本発明において新たに定義すべきデータを図４に説明する。図４は撮影画像サイズの設定項目、すなわちＬ（Ｌａｒｇｅ），Ｍ（Ｍｅｄｉｕｍ），Ｓ（Ｓｍａｌｌ）とその設定項目での累積撮影回数を示すテーブルである。これらのテーブルはプログラムモードやシャッター速度優先モード等の各撮影モードに対応して持っている。このテーブルをデータ構造として図２の撮影画像サイズテーブルと同様に不揮発性メモリ１３に記憶する。
【００３２】
次に撮影画像サイズ用撮影回数カウンタ２１の動作について説明する。この動作のフローチャートを図５に示す。まずシャッターボタンを押すことで撮影動作を開始すると（Ｓ４０１）、図４のテーブルデータを不揮発性メモリ１３から揮発性メモリ１９に読み出す（Ｓ４０２）。次に現在の撮影モードと撮影画像サイズ設定を読み出して（Ｓ４０３，Ｓ４０４）、該当するテーブル中のカウンタ値を１だけインクリメントする（Ｓ４０５）。更新したテーブルを再び不揮発性メモリに書き込み（Ｓ４０６）、終了する（Ｓ４０７）。これにより各撮影画像サイズでの累積撮影回数を計測することができる。
【００３３】
今度は撮影画像サイズ設定手段２２の動作について説明する。この動作のフローチャートを図６に示す。撮影画像サイズ用撮影回数カウンタ２１において更新した累積撮影回数テーブルを不揮発性メモリ１３への書き込みを開始すると（Ｓ５０１）、撮影画像サイズ設定手段２２は現在の撮影モードを読み出す（Ｓ５０２）。そして累積撮影回数テーブル中で、Ｓ５０２で読み出した撮影モードに対応する各撮影画像サイズのカウンタ値を比較してカウンタ値が最大の撮影画像サイズＤ１を算出する（Ｓ５０３）。同様に図２の撮影画像サイズ設定テーブルから該当する撮影モードに対応する画像サイズＤ２を読み出す（Ｓ５０４）。ここでＤ１とＤ２を比較して（Ｓ５０５）、もし同じであれば設定を変更する必要がないのでそのまま終了する（Ｓ５０８）。もし同じでない場合は撮影画像サイズテーブルの該当する撮影モードに対応するサイズデータをＤ２からＤ１に変更して（Ｓ５０６）、再び不揮発性メモリ１３に書き込んで（Ｓ５０７）、終了する。
【００３４】
以上の処理によりシステム終了時に不揮発性メモリ１３に記憶する撮影画像サイズはユーザーが直前に設定したサイズではなく、累積撮影回数を基に更新した撮影画像サイズとなる。従って次の電源投入時にはパラメータの復帰動作を必要とせずに通常設定している画像サイズでの撮影を開始することができ、ユーザーの負担を軽減する。
【００３５】
ところで、本実施例において撮影パラメータとして撮影画像サイズについて述べたが、これに限定されるものではなく撮影画像のフォーマット及び記録圧縮率、感度、絞り値、シャッター速度等についても同様である。また撮影パラメータに限らず、操作部材の操作音、音量、メニューの言語仕様等のシステム動作としてのパラメータについても同様である。
【実施例２】
【００３６】
本実施例では電源投入時に撮影画像サイズとＩＳＯ感度の初期値を累積撮影回数が最大の組み合わせに設定する手法について説明する。本実施例の構成を図１１に示す。図１１は実施例１で示す図１とほぼ同様であり、同一の部材には同一の番号を付与している。但し図１と異なる点は不揮発性メモリに含まれるプログラムとして撮影画像サイズ用撮影回数カウンタの代わりに撮影パラメータ用撮影回数カウンタ２３を、そしてＩＳＯ感度設定手段２４を備えていることである。デジタルカメラの撮影、記録、再生動作は実施例１と同様であるが、撮影パラメータ用撮影回数カウンタとＩＳＯ感度設定手段の動作が加わる。
【００３７】
始めに本発明において新たに定義すべきデータを図７に説明する。図７は撮影画像サイズの設定項目、すなわちＬ（Ｌａｒｇｅ），Ｍ（Ｍｅｄｉｕｍ），Ｓ（Ｓｍａｌｌ）とＩＳＯ感度の設定項目、本実施例の例では、ＩＳＯ５０，ＩＳＯ１００，ＩＳＯ２００，ＩＳＯ４００の組み合わせに対応した累積撮影回数を示すテーブルである。このテーブルはプログラムモードやシャッター速度優先モード等の各撮影モードに対応してそれぞれ持っており、このテーブルをデータ構造として不揮発性メモリ１３に記憶する。
【００３８】
次に撮影パラメータ用撮影回数カウンタ２３の動作について説明する。この動作のフローチャートを図８に示す。まずシャッターボタンを押すことで撮影動作を開始すると（Ｓ７０１）、現在の撮影モードを取得する（Ｓ７０２）。そして図７のテーブルデータを不揮発性メモリ１３から揮発性メモリ１９に読み出す（Ｓ７０３）。次に撮影画像サイズ設定値とＩＳＯ設定値を読み出して（Ｓ７０４，Ｓ７０５）、該当するテーブル中のカウンタ値を１だけインクリメントする（Ｓ７０６）。更新したテーブルを再び不揮発性メモリに書き込み（Ｓ７０７）、終了する（Ｓ７０８）。これにより各撮影画像サイズでの累積撮影回数を計測することができる。
【００３９】
今度は撮影画像サイズ設定手段２２、ＩＳＯ感度設定手段２４の動作について説明する。この動作のフローチャートを図１０に示す。撮影画像パラメータ用撮影回数カウンタ２３において更新した累積撮影回数テーブルを不揮発性メモリ１３への書き込みを開始すると（Ｓ９０１）、撮影画像サイズ設定手段２２は該当する撮影モードを読み出す（Ｓ９０２）。そして累積撮影回数テーブル中で、Ｓ９０２で読み出した撮影モードに対応する各撮影画像サイズとＩＳＯ感度値の組み合わせのカウンタ値を比較してカウンタ値が最大の撮影画像サイズＤ１とＩＳＯ感度の組み合わせＣ１を算出する（Ｓ９０３）。次に図２の撮影画像サイズ設定テーブルから該当する撮影モードに対応する画像サイズＤ２を読み出す（Ｓ９０４）。ここでＤ１とＤ２を比較して（Ｓ９０５）、もし同じであれば設定を変更する必要がないのでＳ９０８にそのまま遷移する。もし同じでない場合は撮影画像サイズテーブルの該当する撮影モードに対応するサイズデータをＤ２からＤ１に変更して（Ｓ９０６）、再び不揮発性メモリ１３に書き込む（Ｓ９０７）。次にＳ９０８で該当する撮影モードでのＩＳＯ感度設定値Ｃ２を読み出す。撮影モードとＩＳＯ感度の設定値を記憶するテーブルを図９に示す。そこでＣ１とＣ２を比較して（Ｓ９０９）、もし同じであれば設定を変更する必要がないので処理を終了する（Ｓ９１２）。もし同じでない場合はＩＳＯ感度設定テーブルの該当する撮影モードに対応するサイズデータをＣ２からＣ１に変更して（Ｓ９１０）、再び不揮発性メモリ１３に書き込む（Ｓ９１１）。
【００４０】
以上の処理によりシステム終了時に不揮発性メモリ１３に記憶する撮影画像サイズとＩＳＯ感度を、累積撮影回数を基に更新したパラメータに設定する。次の電源投入時にはパラメータの復帰動作を必要とせずに通常設定している撮影パラメータでの撮影を開始することができ、ユーザーの負担を軽減する。
【００４１】
ところで、本実施例において撮影パラメータとして撮影画像サイズとＩＳＯ感度設定の組み合わせについて述べたが、これに限定されるものではなく絞り値、シャッター速度の組み合わせ、或いは３つ以上のパラメータの組み合わせにについても同様のことが言える。また撮影パラメータに限らず、操作部材の操作音、音量、メニューの言語仕様等のシステム動作としてのパラメータについても同様である。
【図面の簡単な説明】
【００４２】
【図１】第１の実施例におけるデジタルカメラの構成図
【図２】撮影画像サイズ設定テーブル
【図３】デジタルカメラ背面図
【図４】撮影画像サイズ用累積撮影回数カウンタテーブル
【図５】第１の実施例における撮影画像サイズ用累積撮影回数カウンタの処理フローチャート
【図６】第１の実施例における撮影画像サイズ設定手段の処理フローチャート
【図７】第２の実施例における撮影画像サイズ、ＩＳＯ感度設定用累積撮影回数カウンタテーブル
【図８】第２の実施例における撮影パラメータ用累積撮影回数カウンタの処理フローチャート
【図９】撮影ＩＳＯ感度設定テーブル
【図１０】第２の実施例における撮影画像サイズ設定手段とＩＳＯ感度設定手段の処理フローチャート
【図１１】第２の実施例におけるデジタルカメラの構成図
【符号の説明】
【００４３】
１  デジタルカメラ
２  撮影光学系
３  レンズ
４  ＣＣＤ
５  ＣＤＳ／ＡＧＣ
６  Ａ／Ｄコンバータ
７  信号処理装置Ａ
８  Ｖドライブ
９  タイミングジェネレータ
１０  信号処理装置Ｂ
１１  データバス
１２  ＣＰＵバス
１３  不揮発性メモリ
１４  ＣＰＵ
１５  ＣＦ
１６  ユーザーインターフェース
１７  ディスプレイコントローラ
１８  ＶＲＡＭ
１９  メモリ
２０  液晶モニタ
【図１】
2006054641.tif 000003
【図２】
2006054641.tif 000004
【図３】
2006054641.tif 000005
【図４】
2006054641.tif 000006
【図５】
2006054641.tif 000007
【図６】
2006054641.tif 000008
【図７】
2006054641.tif 000009
【図８】
2006054641.tif 000010
【図９】
2006054641.tif 000011
【図１０】
2006054641.tif 000012
【図１１】
2006054641.tif 000013